【誤訳訂正書】
【提出日】平成20年10月31日(2008.10.31)
【誤訳訂正１】
【訂正対象書類名】特許請求の範囲
【訂正対象項目名】全文
【訂正方法】変更
【訂正の内容】
【特許請求の範囲】
【請求項１】
データが、歪みの影響を受けやすい通信リンク上の受信局へ通信される通信システムにおいて、周波数分割多重化スキームに従って通信したデータの再生を容易にするための装置の改善であって、前記周波数分割多重化スキームは、第１のデータ部分は第１のサブバンドで通信され、少なくとも第２のデータ部分は少なくとも第２のサブバンドで通信され、隣接する前記第１および前記少なくとも第２のサブバンドの周波数は部分的に重なり合っているスキームであり、前記装置は、
前記データの値の表現を受け取ることに組み合わされるデータ部分離フィルタであって、前記データの値の表現が前記受信局で受信される前記第１および少なくとも第２のサブバンドをそれぞれ定義する複数の周波数帯域で、各々異なるフィルタ済み値を形成する、データ部分離フィルタと、
前記第１および少なくとも第２のサブバンドのそれぞれについて前記データ部分離フィルタによって形成された、前記各々異なる複数のフィルタ処理済み値を受け取ることに組み合わされるプレフィルタサンプラであって、前記各々異なる複数のフィルタ処理済み値のそれぞれについて、選択した部分を周波数帯域の境界外へ周波数シフトさせるサンプリングレートでサンプリングする、プレフィルタサンプラと、
前記プレフィルタサンプラに組み合わされるプレフィルタ除去フィルタであって、前記プレフィルタサンプラによって周波数シフトされた前記各々異なる複数のフィルタ処理済み値のそれぞれの選択された部分を除去し、それによって、前記第１および少なくとも第２のデータ部それぞれのフィルタ処理済み表現を形成する、プレフィルタ除去フィルタと、
を備える、装置。
【請求項２】
前記データ部分離フィルタによって形成した各々異なる複数のフィルタ処理済み値が、それぞれ対象とするサブバンド成分および干渉する隣接サブバンド成分で形成される、請求項１に記載の装置。
【請求項３】
前記第１および少なくとも第２のサブバンドでそれぞれ通信されるデータ部はデータ部分およびトレーニング部分に整形され、
前記装置はインパルス応答（ＩＲ）推定器をさらに備え、前記インパルス応答推定器は、前記トレーニング部分の値に応答する前記通信リンクのインパルス応答を推定する、請求項１に記載の装置。
【請求項４】
前記インパルス応答（ＩＲ）推定器が、前記第１および少なくとも第２のサブバンドそれぞれに対して独立にインパルス応答を推定する、請求項３に記載の装置。
【請求項５】
前記プレフィルタサンプラが反因果的フィルタを備える、請求項４に記載の装置。
【請求項６】
前記プレフィルタサンプラが有限インパルス応答（ＦＩＲ）フィルタを備える、請求項４に記載の装置。
【請求項７】
前記プレフィルタサンプラが、それに適用されるデータ値の表現の時間的な白色化を行う、請求項４に記載の装置。
【請求項８】
前記プレフィルタ除去フィルタが有限インパルス応答（ＦＩＲ）フィルタを備える、請求項１に記載の装置。
【請求項９】
前記プレフィルタ除去フィルタが因果的フィルタを備える、請求項１に記載の装置。
【請求項１０】
前記プレフィルタ除去フィルタが、前記第１および少なくとも第２のサブバンドに通過帯域を有する通過帯域フィルタを備える、請求項１に記載の装置。
【請求項１１】
前記プレフィルタサンプラが、前記各々異なる複数のフィルタ処理済み値における前記選択された部分のそれぞれの周波数シフトを生じさせる動作を決定するフィルタ係数を決定するために最尤系列推定（ＭＳＥ）を用いる、請求項１に記載の装置。
【請求項１２】
前記通信システムが無線通信システムを備え、前記通信リンクが無線リンクを備え、前記歪みがフェーディングを含み、前記第１および少なくとも第２のデータ部それぞれの前記フィルタ処理済み表現が実質的に互いに直交性である、請求項１に記載の装置。
【請求項１３】
前記第１および少なくとも第２のデータ部それぞれの前記フィルタ処理済み表現を受け取ることに組み合わされる周波数変換器をさらに備え、前記周波数変換器が前記フィルタ処理済み表現を選択した周波数オフセットに変換するために用いられる、請求項１に記載の装置。
【請求項１４】
前記プレフィルタ除去フィルタによって形成される前記フィルタ処理済み表現の表現を受け取ることに組み合わされるフーリエ変換装置を更に備え、前記フーリエ変換装置は、が周波数領域の表現と時間領域の表現との間の変換を行う、請求項１に記載の装置。
【請求項１５】
データが歪みの影響を受けやすい通信リンク上の受信局と通信される通信システムにおいて、周波数分割多重化スキームに従って通信されるデータの再生を容易にするための方法の改善であって、
前記周波数分割多重化スキームは、第１のデータ部は第１のサブバンドで通信され、少なくとも第２のデータ部分は少なくとも第２のサブバンドで通信され、隣接する前記第１および前記少なくとも第２のサブバンドの周波数は部分的に重なり合っており、前記方法は、
前記受信局で受信された前記データの値の表現に対し、前記第１および少なくとも第２のサブバンドのそれぞれを定義する複数の周波数帯域において、各々異なる複数のフィルタ処理済み値を形成することと、
前記各々異なる複数のフィルタ処理済み値のそれぞれの選択した部分を周波数帯域の境界外へ周波数シフトさせるサンプリングレートで、前記各々異なる複数のフィルタ処理済み値をサンプリングすることと、
前記周波数帯域の境界外へ周波数シフトさせられた、前記各々異なる複数のフィルタ処理済み値のそれぞれの前記選択された部分を除去し、それによって前記第１および少なくとも第２のデータ部それぞれのフィルタ処理済み表現を形成することと、
を備える、方法。
【請求項１６】
前記形成処理の前に、互いに部分的に重なり合う前記第１のサブバンドおよび少なくとも第２のサブバンドのそれぞれ用い、データを前記第１および少なくとも第２の部分に変調するステップと、前記第１および少なくとも第２のデータ部を前記通信リンクで前記受信局に送信するステップとをさらに含む、請求項１５に記載の方法。
【請求項１７】
前記第１および少なくとも第２のデータ部が、データ部分およびトレーニング部分にフォーマットされる、請求項１６に記載の方法。
【請求項１８】
前記方法が、前記通信リンクのインパルス応答を推定する処理をさらに含む、請求項１７に記載の方法。
【請求項１９】
前記サンプリングの処理が、前記データの値の表現を時間的に白色化する、請求項１５に記載の方法。
【請求項２０】
前記サンプリングの処理を実行するための処理パラメータを決定するために最尤系列推定を行うことをさらに含む、請求項１９に記載の方法。
【誤訳訂正２】
【訂正対象書類名】明細書
【訂正対象項目名】全文
【訂正方法】変更
【訂正の内容】
【発明の詳細な説明】
【発明の名称】通信状態が時間変化を示す通信システムのための装置および関連方法
【技術分野】
【０００１】
本発明は、一般に、通信状態がフェーディングなどにより時間変化を示す通信システムでデータの通信を行う方法に関する。より具体的には、本発明は、ＦＤＭ（周波数分割多重化）技術を使用して通信システムでの通信を容易にしながら、フェーディングまたは他の時間変化状態の影響を軽減する装置および関連方法に関する。
【０００２】
移動車両で実行されるセルラー通信などの、モバイル通信における通信品質の改善が可能である。周波数内で部分的に重なり合う周波数サブバンドが、ガードバンドを不要にするために用いられる。データ部は、異なる複数の周波数サブバンド上で通信される。時間領域およびチャネルトラッキングが用いられ、それによって通信状態における時間変化が軽減させられる。部分的に重なり合うサブバンドによるサブバンド干渉は、互いに直交するサブバンド上に送信されるデータ部を配置するために、高性能な処理技術を使用して受信局で除去される。そして、フーリエ変換技術は、データの情報内容の送信および再生の双方で使用できるようになる。
【発明の背景】
【０００３】
データ通信は、現代社会特有の部分である。通信システムは、データを通信するために展開および使用される。通信システムにおいて、データは、データを供給する送信局と、データを受信する受信局との間を通信する。送信および受信局は、通信チャネルを経由して互いに接続され、その間を通信するデータは、その通信チャネルを介して通信される。
【０００４】
データは必要に応じて、送信局からの通信に先立って、通信チャネルを介した通信を可能にする形態に変換される。データを通信チャネルで通信する場合、データは受信局に配信される。そして、受信局で配信した後、データの情報内容が再生される。
【０００５】
多くの異なる種類の通信システムが開発され、送信および受信局間の通信を実行するために普通に用いられている。そして、通信技術の発達にしたがい、既存の通信システムへの改善とともに、新しい種類の通信システムが引き続き開発され、使用されている。
【０００６】
無線通信システムとは、送信および受信局を相互に連結させる通信チャネルが無線リンクで定義される通信システムの一種である。無線リンクは、電磁スペクトルの一部を形成する。通信チャネルを定義するための無線リンクを使用することで、別途固定ワイヤライン接続の使用が不要となる。その結果、インフラコストの低減が図られるため、無線通信システムの設置費用は安くて済む。そして、無線通信システムは、通信の移動性を可能とするモバイル通信システムとしての実行に対して修正可能である。
【０００７】
ほとんどではないとしても、多くの無線通信システムは、帯域が制限されたシステムである。すなわち、無線通信システムに割り当てられる電磁スペクトルの一部が制限されている。帯域の制限によって、通信システムの通信容量が制限されることがある。通信システムの通信容量がこのように制限される場合、このシステムの通信容量は、割り当てられた帯域幅をより効率的に活用することによってのみ増加させることができる。
【０００８】
したがって、この通信システムに割り当てられた帯域幅をより効率的に活用するための取り組みが行われている。デジタル通信技術の使用によって、顕著な通信容量の増強が可能である。例えば、データをデジタル化し、データパケットにフォーマットする場合、データは、送信および受信局間に形成したパケット交換接続の形成を介して通信することができる。通信システムの通信容量における多重増強が可能なことがある。
【０００９】
実行が必要とされるデータ集中通信サービスの増加に伴い、追加的な通信技術が提案され、時には、加えてデジタル通信システムの通信容量を増やすために実行されてきた。
【００１０】
無線通信システムを介したデータの情報内容の再生は、データを通信する無線チャネル上の通信状態によって複雑になることがある。無線チャネルに示されるフェーディング状態は、受信局で受信した場合のデータの値が、送信局で送信するデータの値と異なるように、データの値を歪ませる。歪みに対する補正が行われなければ、データの情報内容を適切に再生することができない。
【００１１】
データ集中通信サービスの実行を容易にすることを目的とする通信スキームでは、利用可能帯域幅をサブバンドに分割する。データは各々異なる複数のサブバンドで通信され、このようなデータは独立して調整される。通常、このサブバンドは、シンボル期間が比較的に長い場合ため、僅かの符号間干渉（ＩＳＩ）のみしか生じないほど十分に小さい振動数範囲となるよう選択される。このようなスキームは、一般にＦＤＭ（周波数分割多重化）スキームと呼ばれる。通常、サブバンドは、ガードバンドによって周波数が区別されている。サブバンドを周波数領域で区別するために、多数のフィルタが使用される。
【００１２】
ガードバンドを取り除くことができれば、通信目的のための追加的な周波数域が利用可能である。しかし、部分的に重なり合うサブバンドで通信されるデータは、互いに干渉する。
【００１３】
ＯＦＤＭ（直交周波数分割多重）と称される特定の種類の周波数分割多重化は、サブバンドが互いに直交して関連している技術である。すなわち、ＯＦＤＭは、サブバンドが直交するように周波数領域サンプルを配置する技術である。
【００１４】
通常、ＯＦＤＭシステムの送信局は、ＩＦＦＴ（逆高速フーリエ変換装置）を用いる。そして、ＯＦＤＭシステムの受信局は、ＦＦＴ（高速フーリエ変換装置）を用いる。ＯＦＤＭシステムの直交性の要件は、ＯＦＤＭ通信スキームが周波数オフセットの影響を受けやすくすし、そのため受信局で常に問題が発生する。さらに、データ通信に関係する送信または受信局のうちの少なくとも１つが移動しているモバイル環境にＯＦＤＭシステムを用いた場合、ドップラー偏移が周波数オフセットを悪化させる。関連する速度が増加するとドップラー偏移も同様に増加し、対応する周波数オフセットも同様により大きくなる可能性がある。送信および受信局間の周波数オフセットは、ＩＦＦＴなどの復調器の正確な動作を妨げ、通信データの情報内容の再生が非効率的になる。
【００１５】
既存のＯＦＤＭシステムでは、データ転送中は、定常的なチャネル状態であると仮定する。すなわち、データの通信を介したサブバンドは、時間不変、すなわちフェーディング状態およびドップラー偏移がないものと仮定される。しかし、実際の通信状態は非常に異なることがある。
【００１６】
ガードバンドの使用を必要とせずにＦＤＭ（周波数分割多重化）通信を用いること、さらにデータ通信を介しているサブバンド上の実際の通信状態をより効果的に考慮に入れることによって方法が提供されれば、通信が改善されることになる。
【００１７】
この背景に照らして、本発明の顕著な改善であるＦＤＭ通信スキームに関連した情報を案出した。
【発明の摘要】
【００１８】
ゆえに本発明は、有利なことに、フェーディング状態などの時間変化する通信状態を示す通信システムにおけるデータ通信のための装置および関連方法を提供する。
【００１９】
本発明の実施態様の動作を通じて、フェーディングまたは他の時間変化状態の影響を軽減するＦＤＭ（周波数分割多重化）を使用した、データ通信における通信を容易にする方法を提供する。
【００２０】
移動車両にて実行されるセルラーおよびその他のモバイル通信の品質レベル改善が可能である。
【００２１】
また、本発明の実施態様の動作を通じて、周波数が部分的に重なり合う周波数サブバンドが使用される。従来のＯＦＤＭ通信スキームにおいては別途必要であるガードバンドが不要となる。
【００２２】
通信サービスを実現するために通信されるデータのデータ部は、異なる複数の周波数のサブバンド上で通信され、受信局での時間領域において検出される。時間変化チャネルトラッキングの実行を可能にする時間領域チャネルトラッキングが用いられる。
【００２３】
本発明の一側面において、データ部は、隣接する複数の部分的に重なり合うサブバンドを介して通信される。受信局で受信した場合、特定のサブバンドで検出されるエネルギは、所望のエネルギと、隣接するサブバンドを介して通信されるデータ部の干渉信号エネルギの両方を、熱エネルギとともに含む。受信局の適切な処理によって干渉サブバンドの信号エネルギが取り除かれ、それによって所望の信号エネルギの更なる処理が容易になる。また、信号処理がサブバンドでの信号エネルギの不要なデータ部分の信号エネルギを取り除くので、他のサブバンドで検出された信号エネルギに関連する所望の信号エネルギの直交性が提供される。
【００２４】
本発明の別の側面では、信号エネルギの時間的な白色化をもたらす方法で、各サブバンドに対して信号エネルギに応じたオーバーサンプリングが行われる。信号白色化は、干渉エネルギの存在を周波数範囲の境界外へ移動させる。そして、移動させた後に帯域通過フィルタリングが行われ、干渉信号エネルギが取り除かれる。
【００２５】
本発明の別の側面では、各々異なる複数のサブバンドを介して通信されたデータは、トレーニングまたはパイロットシンボルを含むパケットなどのフォーマット部にフォーマットされる。トレーニングまたはパイロットシンボルは既知の伝達値を形成するが、送信した値、適切な送信値は受信局で既知である。
【００２６】
本発明の別の側面では、受信局装置は、データ部が通信されるサブバンド上で処理を行うプレフィルタを備える。プレフィルタは、各々異なる複数のサブバンドのそれぞれにおいて印加される信号エネルギの時間的な白色化を行う反因果的（有限インパルス応答）フィルタで形成される。さらにプレフィルタ干渉除去フィルタを備える。この干渉除去フィルタは、サブバンド内のエネルギ成分を通過させうる通過帯域を有し、一方で、反因果的フィルタによってフィルタの通過帯域外にシフトされたエネルギ成分を除去する。干渉除去フィルタは、因果的フィルタを形成し、各サブバンドで干渉除去フィルタを通過したフィルタ処理後の信号は、各サブバンドにおいて干渉信号成分のない所望の信号エネルギである。続くゼロシフトへの周波数変換により、プレフィルタからの異なるサブバンドのそれぞれにおける信号エネルギは、異なるサブバンドでの信号エネルギに行われる、後続の処理を受け入れることが可能となる。  
【００２７】
一実施例では、セルラー通信システムは、干渉除去を伴う部分的に重なり合う周波数領域多重化（ＮＳＯＦＤＭ）通信スキームに従って動作可能となるように構成される。通信サービスを実現するために通信されるデータのデータ部を変調するために複数のサブバンドが定義される。これらのサブバンドは、隣接するサブバンドの周波数が互いに部分的に重なり合うように定義される。データ部は、各々異なる複数のサブバンドを介して受信局に通信される。受信局は、それぞれのサブバンドで信号エネルギを検出する。また、受信局に位置するプレフィルタは、各々のサブバンドで信号エネルギの時間的な白色化を行う。そして、時間的な白色化が行われると、各々のサブバンドで干渉信号エネルギ成分を除去するために帯域通過フィルタリングが行われる。周波数、すなわちゼロシフトオフセットへの周波数変換が行われる。そして、その後に、送信データの情報内容を再現するために、追加的な処理が、互いに直交する、各種サブバンドで信号成分に応じて行われる。
【００２８】
したがって、これらおよびその他の側面では、歪みの影響を受けやすい通信リンク上の受信局を介してデータ通信する通信システムのための装置および関連方法が提供される。周波数分割多重化スキームに従って通信されるデータの再生が容易になる。データは、第１のサブバンドを介した第１のデータ部および少なくとも第２のサブバンドを介して通信される少なくとも第２のデータ部として通信される。隣接する第１および少なくとも第２のサブバンドの周波数は部分的に重なり合う。データ部分離フィルタが、受信局で受信されたデータ値の表現を受け取るように接続される。データ部分離フィルタは、第１および少なくとも第２のサブバンドのそれぞれを定義する周波数範囲で、各々異なる複数のフィルタ処理済み値をそれぞれ形成する。プレフィルタサンプラは、第１および少なくとも第２のサブバンドのためのデータ部分離フィルタによって形成される、各々異なる複数のフィルタ処理済み値を受け取るように接続される。プレフィルタサンプラは、各々異なる複数のフィルタ処理済み値のそれぞれの選択された部分を周波数範囲の境界外に周波数シフトさせるサンプリングレートを適用して、各々異なる複数のフィルタ処理済み値をサンプリングする。プレフィルタ除去フィルタは、プレフィルタサンプラに接続される。プレフィルタサンプラは、プレフィルタサンプラによって周波数が移動された各々異なる複数のフィルタ処理済み値のそれぞれの前記選択された部分を除去し、それによって第１および少なくとも第２のデータ部それぞれのフィルタ処理済みの表現を行う。
【詳細な説明】
【００２９】
本発明およびその範囲のより完全な認識は、下記に簡潔に要約される添付図面から得ることができる。以下に、本発明の好適な実施態様の説明および添付の請求の範囲を詳述する。まず図１を参照して、一般的に１０で示される無線通信システムは、移動局１２を伴う無線通信を提供する。例示的な実施では、通信システムは、概して選択されたいかなるデジタルセルラー規格でも動作可能なセルラー通信システムを形成する。例えば、通信システム１０は、それぞれデータ通信を提供するＧＰＲＳ（汎用パケット無線システム）またはＥＤＧＥ（ＧＳＭ進化型高速データレート）を提供するＧＳＭシステムなどのＧＳＭ（モバイル通信用ジェネラルシステム）を表す。通信システムはまた、ＣＤＭＡ  ２０００（符号分割多重アクセス２０００）通信スキームなどのその他種類のセルラー通信システムも表す。より一般的に、通信システム１０は、例えばフェーディング状態によって歪みの影響を受けやすい通信チャネルを介してデータが通信される多くの種類のモバイル通信システムを表す。
【００３０】
それゆえ、以下の説明は、データ通信を提供するセルラー通信システムにおけるその実施に関する本発明の実施態様の動作を説明するものであるが、本発明は、同様に他の種類のモバイル通信システムにおいても動作可能である。
【００３１】
移動局１２は、通信システムのネットワーク部を備えた無線リンクによって通信する。移動局による双方向通信の実施を可能にする無線リンクをダウンリンク１４およびアップリンク１６で示す。
【００３２】
通信システムのネットワーク部は、基地局（ＢＴＳ）１８を備える基地局システム（ＢＳＳ）を備える。基地局システムの基地局は、無線トランシーバを形成する。また、移動局の回路も、無線トランシーバを形成する。それぞれ、ダウンリンクおよびアップリンクでそれぞれ定義されるチャネルを経由して、その間の無線信号を変換することが可能である。
【００３３】
基地局システムの基地局は、通信システムの無線アクセスネットワーク部の一部を形成する。そして、ここでは、通信システムの無線アクセスネットワーク部を、無線ネットワーク制御装置（ＲＮＣ）２２を備えた状態でさらに示す。無線ネットワーク制御装置は、基地局システムと無線ゲートウェイ（ＧＷＹ）２４との間に接続される。ゲートウェイは、パケットデータ網（ＰＤＮ）２８および公衆交換電話網（ＰＳＴＮ）３２で示される通信システムの他の部を備えたゲートウェイを形成する。コレスポンデントエンティティ（ＣＥ）は、ネットワーク２８および３２に接続されており、インターネットを形成するパケットデータ網に接続可能なデータサーバなどのデータソースを表している。
【００３４】
基地局システムの基地局１８は、移動局へ通信されるデータの形成および送信が可能であり、移動局によって発生されて通信システムのネットワーク部へ送信されるアップリンク信号を検出し、アップリンク信号に応じて動作が可能な、送信回路３６および受信回路３８を備える。
【００３５】
同様に、移動局はまた、送信回路４２および受信回路４４も備える。移動局の送信回路４２は、アップリンク１６で定義されるアップリンクチャネルで発生されるアップリンク信号を発生および送信するように動作する。
【００３６】
本発明の実施態様は、ＮＳＯＦＤＭ（Overlapping Frequency Domain Multiplexing with interference rejection；干渉除去を伴う部分的オーバーラップ周波数領域多重化）通信技術を使用して通信システムの動作中のデータ通信を容易にする。ＮＳＯＦＤＭ技術を使用することによって、従来のＯＦＤＭ技術で使用されるガードバンドが不要になる。また、データが通信される通信チャネルは、時間不変ではなく、むしろチャネルトラッキングを用いて高速フェーディング状態の影響を軽減するとみなされる。フェーディング状態または他の時間変化チャネル状態は、受信局がそれらに送信されたデータの情報内容を再生する用に動作した場合に考慮されるので、通信の質の改善が可能である。
【００３７】
本発明の例示的な実施態様の動作を説明するために、通信サービスを実現するために移動局への通信のための通信システムのネットワーク部で始まるデータ通信を説明するものとする。しかし、この例示的な実施態様では、送信回路３６および４２の双方は、相応じて、受信回路３８および４４と同様に動作する。
【００３８】
送信回路３６では、そこから通信されるデータがいくつかのデータ部に分割される。また、サブバンドは、データが分割された各々異なる複数のデータ部を通信するように定義される。サブバンドは、隣接する複数のサブバンドの周波数が互いに部分的に重なり合うように周波数が選択される。従来のＯＦＤＭ技術とは対照的に、サブバンドを区別するためにガードバンドは割り当てられない。また、送受信回路によって、送信リンク１４で定義される独立したサブバンドで移動局１２へそれぞれ通信される複数のデータ部が形成される。移動局１２は、各々異なる複数のサブバンドで検出される受信データに応じて動作するために、本発明の実施態様の装置５２を備える。装置５２は、各サブバンドに対して、干渉成分、すなわち隣接したサブバンドの信号成分を取り除くように動作する。こうすることによって、独立したサブバンドで受信されるデータ間に直交性が得られる。直交性が得られることによって、ＯＦＤＭで使用されるＦＦＴ（高速フーリエ変換）技術を用いることができる。その結果、受信回路での動作の検出の複雑さは、従来のＯＤＦＭ技術の検出の複雑と変わらない。
【００３９】
装置５２は、それぞれ異なるサブバンド上で受信するデータの表現を受け取るように接続された帯域通過フィルタ５４を備える。帯域通過フィルタ５４は、これらのサブバンドのそれぞれについて、それぞれ異なるフィルタ処理済み成分を形成するように動作する。フィルタ処理を行うと、各サブバンド上で検出されたデータは、時間的な白色化処理を行う第１のプレフィルタ５６に渡される。また、時間的な白色化処理が行われた後、各サブバンド上で検出されたデータは、干渉除去フィルタ５８に渡される。干渉除去フィルタは、干渉成分、すなわち部分的に重なり合うサブバンドで発生する信号エネルギを除去するように動作する。
【００４０】
図２は、通信サービスを提供するべく通信されるデータのデータ部を伝達するために定義された、各々異なる複数のサブバンドで伝達される、符号６２で一般的に示される信号エネルギのグラフ図を示す。異なる複数のサブバンドで、６４で示される信号エネルギは、それぞれ異なるサブバンドで通信されるデータの信号エネルギを表す。
【００４１】
図３は、図１に示される通信システム１０の移動局の一部を形成する、受信回路４４の一部を示す。ここで、受信回路は、再び本発明の実施態様の装置５２を備えるように示される。最初に、またブロック７２で示されるように、受信したデータの信号エネルギをベースバンドレベルへダウン変換する。線７４上に形成され、帯域通過フィルタ５４に印加される信号エネルギは、ベースバンドレベルである。ベースバンド信号は、独立して変調され、周波数領域でオーバーラップしている複数の狭帯域周波数ビンの線形結合を含んでいる。帯域通過フィルタは、サブバンドのそれぞれを分離するように動作する。
また、最初のフィルタ処理済み信号は、線７６上に現れ、フィルタ５６に印加される。
フィルタ５６は、各サブバンドでの所望の信号エネルギ成分と、部分的に重なり合うサブバンドの信号エネルギとを分離する。次いで、信号成分は、干渉成分を除去するフィルタ５８に印加される。
その後、過去の成分は、周波数ビンを周波数領域においてゼロシフト周波数オフセットに変換するように動作する周波数変換器８２に印加される。次いで、ブロック８４で示されるように、高速フーリエ変換を使用してサブバンドの検出が行われる。
【００４２】
サブバンドの周波数幅の選択は、独立して各サブバンドを検出するという競合的な必要性とトレードオフの関係にある。サブバンドごとに単一タップのＩＲ（インパルス応答）を生じさせるに十分なほど小さい周波数幅のサブバンドなので、ＭＡＰの検出をそれほど複雑にせずに行うことができる。
【００４３】
図４は、符号８６で一般的に示される例示的なデータバーストを示し、これは、データ部８８、サイクリックプレフィクス９２、およびトレーニングまたはパイロットシンボル９４から形成されている。
【００４４】
図５は、同じベースバンドバーストを示し、時間領域ではなく周波数領域でプロットされている。ベースバンドバーストは再び８６で示さている。
【００４５】
各サブバンドで、信号エネルギは、所望のデータ部、熱雑音、隣接サブチャネル干渉成分で形成される。すなわち、特定のサブバンドの全干渉は、２つの隣接するサブチャネル干渉成分と熱雑音の重ね合わせを含む。バーストの長さは、典型的なドップラー周波数の影響うけたとしても、バースト全体のインパルス応答（ＩＲ）を追跡できるように、十分短く選択される。
【００４６】
サブバンドで通信されるデータのデータシンボルは、コード化されたデータビットで形成されるデータシンボルで形成される。コードデータビットはインタリーブされる。またインタリーブは、ＯＦＤＭでのように周波数領域か、または時間領域において行われる。どちらかの領域内でインタリーブされた後、コード化及びインタリーブされたビットは、各サブバンドバーストのデータ部を形成するＭＱＡＭシンボルに形成される。各サブバンドに対して、十分な統計と、全ベースバンドに使用されるレートでのサンプリングとに基づくモデルが、オーバーサンプルモデルを示し、次式で表される。
2007525034.tif 000001
ここで、
kは、離散的な時間位置を示し、
y[k]は、受信されたシンボルを示し、
d[k]は、未知の送信されたシンボルを示す。
サブバンドのそれぞれに対するインパルス応答h[k]は、トレーニングシンボルによってパイロットシンボル９４から推定される。干渉ns[k]も同様である。
【００４７】
時間的な白色化および対角優位な有効ＩＲマトリクスの両方を達成する反因果的フィードフォワードフィルタ５６の存在。
反因果的ＦＩＲフィルタの最適な係数f[ ]を見出すために、ＭＭＳＥ合成を用いる。連帯的にフィルタ共係数f[ ]および最適なチャネルインパルス応答を得る、エルミート形式が提示される。
【００４８】
最初に、次式が提示される。
2007525034.tif 000002
ここで、太字の小文字は列ベクトルを表わし、上付き文字Tは転置行列を表わす。また、ＦＩＲ係数の合成に対して、d[k]は既知の送信されたパイロットまたはトレーニングシンボルを表し、y[k]は受信したシンボルを表す。
2007525034.tif 000003
は、過去の検出されたシンボルにしか影響しない点に留意されたい。
【００４９】
２つの新しいベクトルを以下に定義する。
2007525034.tif 000004
また、簡潔な形式では、次式で表される。
2007525034.tif 000005
瞬間的なエラーは、次式で定義される。
2007525034.tif 000006
また、ＭＭＳＣは、
2007525034.tif 000007
である。
これは、以下を意味する。
2007525034.tif 000008
ここで、*は複素共役を示し、+はエルミート転置行列を示す。E{ss+}はエルミート行列であり、その解はフィードフォワードおよびフィードバック係数の両方を得ることに留意されたい。エルミート行列は、雑音の統計学的な特性が時間と共に変化しない多くの状況において生じる。その結果、wは、上記の式８および１の組み合わせによって解くことができる。
【００５０】
白色化プロセスはエネルギをスペクトルの干渉部から周波数範囲の帯域外へ変換する。周波数範囲の帯域外では雑音エネルギが増加する。オーバーサンプリングが帯域外周波数範囲の存在をもたらす。このような処理は、フィルタ５６が行う。次いで、帯域外周波数範囲内に含まれるエネルギが除去される。その結果、時間領域において干渉エネルギが低減される。また、ナイキストレートを大幅に減じることによって、時間領域では、従来の方法で同じ通常のサブバンドのサンプリングレートで検出が行われる。
【００５１】
図６は、符号で１０２一般的に示される本発明の実施態様における方法の流れ図を示す。この方法は、歪みの影響を受けやすい通信リンクに通信されるデータの再生（回復）を容易にする。データは周波数分割多重化スキームに従って通信されるが、このスキームにおいては、第１のサブバンドは第１のデータ部により通信され、少なくとも第２のサブバンドは少なくとも第２のデータ部により通信される。また、隣接する第１および少なくとも第２のサブバンドの周波数は部分的に重なり合う。
【００５２】
最初に、ブロック１０４示されるように、各々異なる複数のフィルタ処理済み値が、第１および少なくとも第２のサブバンドのそれぞれを定義する周波数範囲において形成される。
次いで、ブロック１０６示されるように、各々異なる複数のフィルタ処理済み値のそれぞれの選択した部分を境界外周波数帯域へ周波数シフトさせるサンプリングレートで、前記各々異なる複数のフィルタ処理済み値をサンプリングする。
【００５３】
次に、ブロック１０８示されるように、境界外周波数帯域へ周波数シフトさせられた各々異なる複数のフィルタ処理済み値のそれぞれの前記選択された部分を除去し、それによって前記第１および少なくとも第２のデータ部それぞれのフィルタ処理済み表現を形成する。
【００５４】
上記の説明は、本発明を実施するための好適な例であり、本発明の範囲は、必ずしもこの説明によって制限されるものではない。本願発明の範囲は、以下の請求項によって定義されるものである。
【図面の簡単な説明】
【００５５】
【図１】本発明の実施態様が実施される無線通信システムの機能ブロック図を示す。
【図２】図１に示される通信システムの動作中に各種サブバンドで発生する信号の例示的な信号エネルギのグラフ図を示す。
【図３】図１に示される通信システムの一部を表す機能ブロック図を示す。
【図４】図１に示される通信システムの動作中に発生する例示的なデータバーストのフォーマットを示す。
【図５】周波数領域における図４に示されるデータバーストの表示を示す。
【図６】本発明の実施態様の動作方法を表にした方法の流れ図を示す。